(57)【要約】  【課題】  前記外締め方式の利点である取付作業性の良さと、前記内締め方式の利点である外観的な良さを併せ持つ、配電盤の化粧板取付構造を提供する。  【解決手段】  配電盤１は、複数併設されていて外部に現われる最外側の配電盤１の化粧板取付面に一対の化粧板２が化粧板取付構造３により取付けられる。前記化粧板取付構造３は、化粧板２の下面２ａを支持する化粧板支持体４と、化粧板２の上面２ｂを抑える化粧板抑え体５と、で構成される。  【選択図】  図１
2006087254.tif 000002
【特許請求の範囲】
【請求項１】
配電盤の化粧板取付面側の下縁部に化粧板の下面を支持する化粧板支持体を設けて化粧板の下面を載置し、該化粧板の下面を前記化粧板支持体の下面側からボルトによって前記化粧板支持体上に固定すると共に、前記化粧板の上面を配電盤に取付けた化粧板抑え体で抑えて該化粧板抑え体と前記化粧板の上面をボルトで固定したことを特徴とする配電盤の化粧板取付構造。
【請求項２】
前記化粧板支持体は、配電盤の化粧板取付面側の下縁部に重ね合わせる配電盤への取付部と、該取付部の上端から略直角に折り曲げ形成された化粧板支持部と、で略Ｌ字状に形成され、
前記取付部は、配電盤の外側からボルトによって前記配電盤の化粧板取付面側の下縁部に固定され、前記化粧板支持部上に載置された化粧板は、配電盤の外側からボルトによって前記化粧板支持部上に固定されていることを特徴とする請求項１に記載の配電盤の化粧板取付構造。
【請求項３】
前記化粧板支持体の化粧板支持部上に固定される化粧板の内面には前記ボルトを螺合するナットが溶接されていることを特徴とする請求項１または請求項２に記載の配電盤の化粧板取付構造。
【請求項４】
前記化粧板抑え体は、吊りボルトで配電盤の上面に取付けられていることを特徴とする請求項１または請求項３のいずれか一つに記載の配電盤の化粧板取付構造。
【発明の詳細な説明】
【技術分野】
【０００１】
本発明は、配電盤の側面を装飾する化粧板の取付構造に関するものである。
【背景技術】
【０００２】
配電盤の化粧板取付構造には、大別して外締め方式と内締め方式の２種類がある。外締め方式とは、配電盤の外側からボルトで化粧板を配電盤の外面に取付ける方式をいい、内締め方式とは、配電盤の内側からボルトで化粧板を配電盤の外面に取付ける方式をいう。
【０００３】
図６、図７は外締め方式の一例を示し、化粧板１０１を取付けようとする配電盤１０２の側面がわのフレーム板１０３の内面に予めナット１０４を溶接しておき、前記フレーム板１０３の外面に化粧板１０１を重ね合わせたのちボルト１０５で化粧板１０１を前記フレーム板１０３の外面に取付ける構成になっている。
【０００４】
図８は内締め方式の一例を示し、化粧板１０１の周縁部の折曲片１１１の内側に固定金具１１２を取付け、該固定金具１１２の外面に予めナット１０４を溶接しておく。そして、配電盤１０２の側面がわのフレーム板１０３の外面に前記折曲片１１１を重ね合わせたのち配電盤１０２の内側からボルト１０５で化粧板１０１を配電盤１０２の側面がわのフレーム板１０３の外面に取付ける構成になっている。（例えば特許文献１）
【特許文献１】特開平１０−２１０６０７号公報（段落０００２〜段落０００９等）
【発明の開示】
【発明が解決しようとする課題】
【０００５】
ところで、上記従来の化粧板の取付構造には、次に述べるような問題点があった。
（１）前記外締め方式の化粧板の取付構造は、配電盤１０２の外側からボルト締め作業を行なうので取付作業性に優れているという利点がある反面、化粧板１０１の表面にボルト１０５の頭部が露出するために化粧板１０１の外観を損なうという問題点がある。このような問題点を解決するためボルト１０５の頭部をキャップで覆い隠す方法も採られているがコストが高くなる。
（２）前記内締め方式の化粧板の取付構造は、ボルト１０５が化粧板１０１で覆い隠されるために前記外締め方式の化粧板の取付構造よりも美観的に優れたものになるという利点がある反面、配電盤１０２の内側からボルト締め作業を行なわなければならないために作業性が悪いという問題点がある。
【０００６】
本願発明の目的は、前記外締め方式の利点である取付作業性の良さと、前記内締め方式の利点である外観的な良さを併せ持つ、化粧板の取付構造を提供することにある。
【課題を解決するための手段】
【０００７】
請求項１の配電盤の化粧板取付構造は、配電盤の化粧板取付面側の下縁部に化粧板の下面を支持する化粧板支持体を設けて化粧板の下面を載置し、該化粧板の下面を前記化粧板支持体の下面側からボルトによって前記化粧板支持体に固定すると共に、前記化粧板の上面を配電盤に取付けた化粧板抑え体で抑えて該化粧板抑え体と前記化粧板の上面をボルトで固定する構成した。
【０００８】
請求項２の発明は、請求項１の配電盤の化粧板取付構造において、前記化粧板支持体を、配電盤の化粧板取付面側の下縁部に重ね合わせる配電盤への取付部と、該取付部に対して略直角に折り曲げ形成された化粧板支持部と、で略Ｌ字状に形成し、前記取付部を、配電盤の外側からボルトによって前記配電盤の下縁部の前面に固定し、前記化粧板支持部上に載置した化粧板の下面を、配電盤の外側からボルトによって前記化粧板支持部に固定した。
【０００９】
請求項３の発明は、請求項１または請求項２のいずれかに記載の配電盤の化粧板取付構造において、前記化粧板支持体の化粧板支持部上に固定される化粧板の内面に、前記ボルトを螺合するナットを予め溶接した。
【００１０】
請求項４の発明は、請求項１から請求項３のいずれか一つに記載の配電盤の化粧板取付構造において、前記化粧板抑え体を、吊りボルトで配電盤の上面に取付けた。
【発明の効果】
【００１１】
（１）請求項１の配電盤の化粧板取付構造は、化粧板の上面と下面を、化粧板抑え体と化粧板支持体とで挟んでボルトで外締め固定することができる。特に、化粧板支持体の上に化粧板を載せることにより効率的に化粧板の取付作業を行なうことができる。また、ボルトの頭部は、化粧板の上，下面側に位置していて、見え難い位置にあるので配電盤の外観を損なうこともない。
（２）請求項２の配電盤の化粧板取付構造は、前記化粧板支持体を必要に応じて配電盤に取付けて使用することができる。例えば、複数の配電盤１…１を連結して使用する場合に外側の配電盤にのみ取付けて使用することができる。また、化粧板支持体の配電盤への取付部を配電盤の化粧板取付面側の下縁部に取付けると、前記取付部の上端に略直角に折り曲げ形成された化粧板支持部の下部には空間ができるので、該空間を利用して前記化粧板支持部の下部からボルト締め作業を行なうことができる。
（３）請求項３の配電盤の化粧板取付構造は、前記化粧板支持体の化粧板支持部上に支持される化粧板の下面の内面にはナットが予め溶接されているので配電盤の外側からボルト締め作業を容易に行なうことができる。
（４）請求項４の配電盤の化粧板取付構造は、前記化粧板抑え体を吊りボルトで配電盤の上面に取付けたので、前記吊りボルトを配電盤の搬送等に有効に利用することができる。
【発明を実施するための最良の形態】
【００１２】
図１は本発明の化粧板取付構造を施した配電盤の斜視図、図２は化粧板支持体の斜視図、図３は図１のＡ−Ａ断面図である。
【００１３】
図１において、配電盤１は、複数併設されていて外側の配電盤１の側面（化粧板取付面）に一対の化粧板２が化粧板取付構造３により取付けられる。
【００１４】
前記化粧板取付構造３は、化粧板２の下面２ａを支持する化粧板支持体４と、化粧板２の上面２ａを抑える化粧板抑え体５と、で構成されている。
【００１５】
図２に示すように、前記化粧板支持体４は、配電盤への取付部（以下、単に取付部と称する）４ａと、該取付部４ａの上端から略直角に折り曲げ形成された化粧板支持部４ｂと、で略Ｌ字状に形成されている。前記取付部４ａと化粧板支持部４ｂには、それぞれ複数のボルト孔４ｃ…４ｃが設けられている。
【００１６】
図３に示すように、前記化粧板支持体４は、前記取付部４ａを前記配電盤１の下縁部１ａの前面に重ね合わせたのちに配電盤１の外側からボルト６によって固定される。前記化粧板支持体４を取付ける配電盤１の下縁部１ａにはボルト６を挿入するボルト孔７が穿設されていると共に、内面には前記ボルト６を螺合するナット８が予め溶接されている。また、化粧板支持部４ｂ上に載置された化粧板２の下面２ａは、配電盤の外側である前記化粧板支持部４ｂの下方からボルト９によって前記化粧板支持部４ｂ上に固定されている。前記化粧板２の下面２ａにはボルト９を挿入するボルト孔１０が穿設されていると共に、前記ボルト９を螺合するナット１１が予め溶接されている。
【００１７】
図１に示すように、前記化粧板抑え体５は、化粧板２の上面２ｂに重なり合う化粧板上面抑え部５ａと、該化粧板上面抑え部５ａの長さ方向の両端に設けられた一対のアーム部５ｂ，５ｃと、を備えていて、一対の吊りボルト１２，１２で配電盤１の上面１ｂに取付けられている。そして、前記化粧板上面抑え部５ａで化粧板２の上面２ｂを抑えて、ボルト１３で固定するようになっている。
【００１８】
図４に示すように、前記化粧板抑え体５にはボルト孔１４が穿設されている。また、前記化粧板２の上面２ｂには化粧板抑え体５のボルト孔１４に連なるボルト孔１５が穿設されていると共に下面には前記ボルト１３を螺合するナット１６が予め溶接されている。また、前記化粧板抑え体５の一対のアーム部５ｂ，５ｃには前記吊りボルト１２を挿入するボルト孔１７が穿設されている。前記配電盤１の上面１ｂには前記化粧板抑え体５のボルト孔１７に連なるボルト孔１８が穿設されていると共に前記配電盤１の上面１ｂの吊りボルト１２を螺合するナット１９が予め溶接されている。
【００１９】
次に、化粧板２の取付け方法の一例を説明する。先ず、配電盤１の下縁部１ａの前面に化粧板支持体４の取付部４ａを重ね合わせてボルト６で固定する。次に、化粧板支持部４ｂの上に化粧板２を載置して、ボルト９により化粧板２の下面２ａを固定する。次に、配電盤１の上面１ｂに一対の吊りボルト１２，１２で化粧板抑え体５のアーム部５ｂ，５ｃを取付けると共に、化粧板上面抑え部５ａで化粧板２の上面２ｂを抑えて、ボルト１３で固定する。これにより、化粧板２は、その下面２ａと上面２ｂを化粧板支持体４と化粧板抑え体５との間でしかっりと挟まれた状態で固定されるのである。なお、吊りボルト１２は、その使命を終えたなら、図５に示すように普通のボルト２０に付け替えてもよい。
【図面の簡単な説明】
【００２０】
【図１】化粧板取付構造を施した配電盤の斜視図
【図２】化粧板支持体の斜視図
【図３】図１のＡ−Ａ断面図
【図４】図１のＢ−Ｂ断面図
【図５】吊りボルトを普通のボルトに付け替えた状態の断面
【図６】従来例の斜視図
【図７】図６のＡ−Ａ断面図
【図８】他の従来例の断面図
【符号の説明】
【００２１】
１…制御盤
２…化粧板
３…化粧板取付構造
４…化粧板支持体
４ａ…配電盤への取付部
４ｂ…化粧板支持部
５…化粧板抑え体
６、９、１３…ボルト
７、１０、１４、１７，１８…ボルト孔
８、１１、１５、１６、１９…ナット
１２…吊りボルト
【図１】
2006087254.tif 000003
【図２】
2006087254.tif 000004
【図３】
2006087254.tif 000005
【図４】
2006087254.tif 000006
【図５】
2006087254.tif 000007
【図６】
2006087254.tif 000008
【図７】
2006087254.tif 000009
【図８】
2006087254.tif 000010